(57)【要約】【課題】  管線を平穏に安定した状態で安全に巻き取る管線巻取り器の提供。【解決手段】  管線巻取り器の本体内部に二つの相互に対応するベース板が設けられ、管線が巻かれる巻軸が二つのベース板間に枢設され、別に巻軸に巻取りの動力を提供する渦形バネが巻軸に隣接するベース板外側と支持板の間に設けられ、噛合伝動機構がベース板外壁部分に設けられて巻軸と渦形バネ間の動力を伝送すると共に、巻軸の巻取り時に適当な大きさの抵抗力を提供し、巻軸に管線が巻き取られる時、渦形バネの強大なトルクの瞬間的作用を受けて急速な巻取りを発生することがなく、フライホイール歯車セットの慣性回転により、渦形バネに回復のトルクを発生させ、管線を平穏に安全に巻き取る。【選択図】        図５
0003102893.tif 000002
【実用新案登録請求の範囲】
【請求項１】
左右のケースが突き合わされて螺子止めされてなる本体を具え、その内部に管線コネクタを具えた巻軸が設けられて管線の一端が管線コネクタに接続された後に、巻軸に巻き付けられ、該管線の別端は本体の出管口より外向きに引き出し可能とされ、別に本体内部の一側に渦形バネが収容され、該渦形バネは中央の軸管の回転に連動し、該軸管は回転可能に設置されて間接的に巻軸の軸棒に駆動されて回転し、管線が外向きに引き出されて巻軸が回転する時、渦形バネが引き絞られてその蓄積するトルクが巻軸を回転させて管線を巻き取るのに供される管線巻取り器において、
二つのベース板がケースの内側に設置され、その間に管線を巻き取る巻軸が枢設され、  噛合伝動機構が複数の軸棒によりベース板の外側と支持板の間に設置され、且つ第１歯車を具え、該第１歯車は巻軸の軸棒に固定されてそれに伴い回転し、且つ同軸に半径の大きい第１大歯車が一体に設置されて、該第１大歯車が渦形バネに接合されて回転する第２歯車、及び伝動歯車と噛み合い、該伝動歯車は別に慣性輪と噛み合い、さらに該慣性輪が高倍数増速のフライホイール歯車セットと噛み合い、
管線が引き出される時、巻軸に駆動された第１歯車が第２歯車を駆動し、渦形バネを引き絞り回復トルクを蓄積させ、渦形バネが弛んで管線が巻き取られる時、渦形バネの回復トルクが第２歯車に作用し、第２歯車が第１歯車を回転させ、第１歯車が高増速フライホイール歯車セットの発生する抵抗力の牽制を受け、巻軸を緩やかな速度で回転させて管線を巻き取らせ、管線の回収過程での速度が速くなりすぎることによる人への衝突と傷害を防止することを特徴とする、管線巻取り器。
【請求項２】
請求項１記載の管線巻取り器において、高倍数の増速フライホイール歯車セットはさらに小半径の第３歯車及び第１歯車と同じ半径で第３歯車と同軸の第３歯車より大きい半径の第４歯車と、第３歯車と第４歯車の間に位置して単方向回転する単方向係止片を具え、該第３歯車と第１慣性輪が噛み合い、その歯数比が約１：５とされ、第４歯車が更に支持板の外側に軸設され且つ第１歯車と同半径のフライホイールと同軸に設けられたことを特徴とする、管線巻取り器。
【請求項３】
請求項２に記載の管線巻取り器において、第４歯車に等角に分布する係止孔が設けられ、単方向係止片がある所定方向に回転する時、その周囲に凸設されたラチェット爪が第４歯車の係止孔と係合して駆動し、もう一つの方向に回転する時、空転を発生することを特徴とする、管線巻取り器。
【請求項４】
請求項１に記載の管線巻取り器において、支持板が複数の連接棒でベース板と対応するケースの間に設置され、且つその渦形バネに対応する部分に中央に軸管を具えたバネ収容溝が凹設され、一端が軸管に接合され別端がバネ収容溝の溝壁縁に嵌め込まれた渦形バネが該バネ収容溝に収容されたことを特徴とする、管線巻取り器。
【請求項５】
請求項１に記載の管線巻取り器において、伝動歯車が慣性輪により配管器と同軸の配線歯車と噛み合い、該配管器の制御により管線が巻軸上で均一に巻き取られることを特徴とする、管線巻取り器。
【請求項６】
請求項２に記載の管線巻取り器において、ベース板の所定の部分に回転阻止手段が設けられ、それはケース外部に露出するハンドル部分を具え、その内部に第４歯車の歯溝中に挿入位置決め可能で第４歯車の回転を制限する係止部が設けられたことを特徴とする、管線巻取り器。
【請求項７】
請求項１に記載の管線巻取り器において、支持板外側に位置決め機構が設けられ、該位置決め機構は伝動歯車と同軸回転する位置決め輪を具え、該位置決め輪の外周に複数の位置決め歯が設けられ、支持板外側の位置決め歯に対応する周囲に単方向係止手段が設けられ、並びにバネによる引っ張りを受けて回転し適時に位置決め輪の位置決め歯を係止し、位置決め輪を単方向回転させるか或いは位置決め輪の周囲をスライドし、これにより管線の一定距離での位置決めと巻取り状態を制御することを特徴とする、管線巻取り器。
【請求項８】
請求項１に記載の管線巻取り器において、本体外側中央部分に所定の数の巻取り位置決め片が設けられ、これら巻取り位置決め片と本体外壁間に収容空間が形成されて巻き取った管線の収容と位置決めに供されることを特徴とする、管線巻取り器。
【請求項９】
請求項１に記載の管線巻取り器において、本体の出管口と反対の端部に壁面に螺子止め可能な連結シートが設けられ、該連結シートの一側に吊掛溝が設けられ、管線の末端の物品の吊掛固定に供されることを特徴とする、管線巻取り器。
【請求項１０】
請求項１に記載の管線巻取り器において、管線が電源線とされたことを特徴とする、管線巻取り器。
【請求項１１】
請求項１に記載の管線巻取り器において、管線がロープとされたことを特徴とする、管線巻取り器。
【考案の詳細な説明】
【技術分野】
【０００１】
本考案は一種の管線を巻き取るための装置に係り、特に、周知の渦形バネの体積を大幅に縮小すると共に、管線自動巻取りの速度を緩やかとし、管線巻取りを平穏に安全に行なえるようにした管線巻取り器に関する。
【背景技術】
【０００２】
一般に管線巻取り器のほとんどは長距離に管線を延伸できるようにする目的のために、管線の引き出しと巻取りの過程を簡単に行なえるように設計されている。
【０００３】
管線の引き出しと巻取りを簡単に、楽に行なうため、各種の管線巻取り器が生れ、例えば図１に示される管線巻取り器１０は、中空収容溝１１１を具えた本体１１を具え、該本体１１の中央にそれと螺子止めされた固定軸１２が設けられ、且つ固定軸１２に内部に渦形バネ１３を具えて同期に回転、停止する盤状回転体１４が嵌合され、該回転体１４は本体１１の中空収容溝１１１中に収容され、並びに固定軸１２を回転中心とし、該渦形バネ１３の二端は固定軸１２と回転体１４の枢設端１４１に固定され、これにより回転体１４に配設された管線ａが配線機構１５を介して出管口１６より外向きに引き伸ばされて回転体１４を駆動して回転させる時、回転体１４内部に枢設された渦形バネ１３が引き締められて、並びに回復トルクを発生して渦形バネ１３内部に蓄積し、別に回転体１４の本体１１に対応する周面に、複数の位置決め溝１７１とストッパ縁１７２を具えた位置決め手段１７が設けられ、且つこれに対応する本体１１部分にバネ１８１に引っ張られて独立して回転動作する単方向係止手段１８と係止手段１９が設けられている。管線ａが外に引き伸ばされて回転体１４を回転させる時、該位置決め手段１７の位置決め溝１７１が回転して単方向係止手段１８に至る時、該単方向係止手段１８が位置決め溝１７１内に係止されて、回転体１４が単方向のみに回転可能とされ、該係止手段１９が回されてストッパ縁１７２と係合する時、該回転体１４は停滞し回転せず、管線ａの引き伸ばしの距離に応じた位置決めが達成される。管線ａを巻き取る時、係止手段１９の反対方向の回転により、回転体１４の位置決め手段１７が回転して単方向係止手段１８より離脱し、これにより緊張状態の渦形バネ１３の釈放するエネルギーが回転体１４に作用し、回転体１４を逆方向に回転させ、単方向係止手段１８が位置決め手段１７の周面にそってスライドして位置決め溝１７１に嵌入せず、回転体１４の回転に影響を与えず、管線ａが配線機構１５を通して収納される（図２参照）。
【０００４】
このような管線巻取り器１０は、渦形バネ１３の強大な回復トルクの回転体１４への作用を利用しており、急速自動巻取りの機能を達成する。水管等の管線では、管線の末端には硬質で重量を有するシャワーヘッドａ’が設けられているため、渦形バネ１３の瞬間的に釈放する巻取り力が管線ａに急速回転を発生させる時、シャワーヘッドａ’が予知不能に随意に飛び跳ね、移動経路周囲の物品や人に危害を及ぼす恐れがある。ゆえに、強力な巻取り構造を保持しつつ使用の安全性を具備させる必要がある。
【考案の開示】
【考案が解決しようとする課題】
【０００５】
本考案は一種の管線巻取り器を提供し、それは、管線巻取り器の本体内部に二つの相互に対応するベース板が設けられ、管線が巻かれる巻軸が二つのベース板間に枢設され、別に巻軸に巻取りの動力を提供する渦形バネが巻軸に隣接するベース板外側と支持板の間に設けられ、噛合伝動機構がベース板外壁部分に設けられて巻軸と渦形バネ間の動力を伝送すると共に、巻軸の巻取り時に適当な大きさの抵抗力を提供し、これにより渦形バネの体積を縮小するほか、巻軸に管線が巻き取られる速度を緩める。
【０００６】
すなわち、本考案の主要な目的は、一種の管線巻取り器を提供することにあり、それは、管線巻取り器の噛合伝動機構を利用して巻軸と渦形バネ間の動力を伝送するほか、巻軸が管線を巻き取る時に適当な抵抗力を提供し、周知の管線巻取り器に較べて、巻軸が渦形バネの強大なトルク作用を受ける時の回転速度を緩めると共に、渦形バネの弾性釈放の最後に、フライホイール歯車セットの慣性回転により、渦形バネに回復のトルクを具備させ、管線巻取り作業を平穏に、安全に行なわせ、周知の管線自動巻取りの速度が速過ぎ管線末端物品が物品や人に衝突して危害を及ぼす状況を防止する。
【課題を解決するための手段】
【０００７】
請求項１の考案は、左右のケースが突き合わされて螺子止めされてなる本体を具え、その内部に管線コネクタを具えた巻軸が設けられて管線の一端が管線コネクタに接続された後に、巻軸に巻き付けられ、該管線の別端は本体の出管口より外向きに引き出し可能とされ、別に本体内部の一側に渦形バネが収容され、該渦形バネは中央の軸管の回転に連動し、該軸管は回転可能に設置されて間接的に巻軸の軸棒に駆動されて回転し、管線が外向きに引き出されて巻軸が回転する時、渦形バネが引き絞られてその蓄積するトルクが巻軸を回転させて管線を巻き取るのに供される管線巻取り器において、
二つのベース板がケースの内側に設置され、その間に管線を巻き取る巻軸が枢設され、  噛合伝動機構が複数の軸棒によりベース板の外側と支持板の間に設置され、且つ第１歯車を具え、該第１歯車は巻軸の軸棒に固定されてそれに伴い回転し、且つ同軸に半径の大きい第１大歯車が一体に設置されて、該第１大歯車が渦形バネに接合されて回転する第２歯車、及び伝動歯車と噛み合い、該伝動歯車は別に慣性輪と噛み合い、さらに該慣性輪が高倍数増速のフライホイール歯車セットと噛み合い、
管線が引き出される時、巻軸に駆動された第１歯車が第２歯車を駆動し、渦形バネを引き絞り回復トルクを蓄積させ、渦形バネが弛んで管線が巻き取られる時、渦形バネの回復トルクが第２歯車に作用し、第２歯車が第１歯車を回転させ、第１歯車が高増速フライホイール歯車セットの発生する抵抗力の牽制を受け、巻軸を緩やかな速度で回転させて管線を巻き取らせ、管線の回収過程での速度が速くなりすぎることによる人への衝突と傷害を防止することを特徴とする、管線巻取り器としている。
請求項２の考案は、請求項１記載の管線巻取り器において、高倍数の増速フライホイール歯車セットはさらに小半径の第３歯車及び第１歯車と同じ半径で第３歯車と同軸の第３歯車より大きい半径の第４歯車と、第３歯車と第４歯車の間に位置して単方向回転する単方向係止片を具え、該第３歯車と第１慣性輪が噛み合い、その歯数比が約１：５とされ、第４歯車が更に支持板の外側に軸設され且つ第１歯車と同半径のフライホイールと同軸に設けられたことを特徴とする、管線巻取り器としている。
請求項３の考案は、請求項２に記載の管線巻取り器において、第４歯車に等角に分布する係止孔が設けられ、単方向係止片がある所定方向に回転する時、その周囲に凸設されたラチェット爪が第４歯車の係止孔と係合して駆動し、もう一つの方向に回転する時、空転を発生することを特徴とする、管線巻取り器としている。
請求項４の考案は、請求項１に記載の管線巻取り器において、支持板が複数の連接棒でベース板と対応するケースの間に設置され、且つその渦形バネに対応する部分に中央に軸管を具えたバネ収容溝が凹設され、一端が軸管に接合され別端がバネ収容溝の溝壁縁に嵌め込まれた渦形バネが該バネ収容溝に収容されたことを特徴とする、管線巻取り器としている。
請求項５の考案は、請求項１に記載の管線巻取り器において、伝動歯車が慣性輪により配管器と同軸の配線歯車と噛み合い、該配管器の制御により管線が巻軸上で均一に巻き取られることを特徴とする、管線巻取り器としている。
請求項６の考案は、請求項２に記載の管線巻取り器において、ベース板の所定の部分に回転阻止手段が設けられ、それはケース外部に露出するハンドル部分を具え、その内部に第４歯車の歯溝中に挿入位置決め可能で第４歯車の回転を制限する係止部が設けられたことを特徴とする、管線巻取り器としている。
請求項７の考案は、請求項１に記載の管線巻取り器において、支持板外側に位置決め機構が設けられ、該位置決め機構は伝動歯車と同軸回転する位置決め輪を具え、該位置決め輪の外周に複数の位置決め歯が設けられ、支持板外側の位置決め歯に対応する周囲に単方向係止手段が設けられ、並びにバネによる引っ張りを受けて回転し適時に位置決め輪の位置決め歯を係止し、位置決め輪を単方向回転させるか或いは位置決め輪の周囲をスライドし、これにより管線の一定距離での位置決めと巻取り状態を制御することを特徴とする、管線巻取り器としている。
請求項８の考案は、請求項１に記載の管線巻取り器において、本体外側中央部分に所定の数の巻取り位置決め片が設けられ、これら巻取り位置決め片と本体外壁間に収容空間が形成されて巻き取った管線の収容と位置決めに供されることを特徴とする、管線巻取り器としている。
請求項９の考案は、請求項１に記載の管線巻取り器において、本体の出管口と反対の端部に壁面に螺子止め可能な連結シートが設けられ、該連結シートの一側に吊掛溝が設けられ、管線の末端の物品の吊掛固定に供されることを特徴とする、管線巻取り器としている。
請求項１０の考案は、請求項１に記載の管線巻取り器において、管線が電源線とされたことを特徴とする、管線巻取り器としている。
請求項１１の考案は、請求項１に記載の管線巻取り器において、管線がロープとされたことを特徴とする、管線巻取り器としている。
【考案の効果】
【０００８】
本考案の管線巻取り器は、周知の渦形バネの体積を大幅に縮小し、且つ管線自動巻取りの速度を緩め、管線巻取りを平穏に安全に行なうことができ、全体として産業上の実用性とコスト上のメリットを有し、またその構造はその出願以前に頒布された刊行物に記載がなく、また公開使用されていないため、新規性を有しており、実用新案登録の要件に符合する。
【考案を実施するための最良の形態】
【０００９】
図３から図５に示されるのは本考案の管線巻取り器であり、それは、左右のケース２１が突き合わされて螺子止めされてなる本体２０を具え、その内部に管線コネクタ３１を具えた巻軸３０が設けられて管線は一端が管線コネクタ３１に接続された後に、巻軸３０に巻き付けられ、該管線の別端は本体２０の出管口２２より外向きに引き出し可能とされる。別に本体２０内部の一側に渦形バネ４０が収容され、該渦形バネ４０は軸管４１の回転に連動し、該軸管４１は回転可能に設置されて間接的に巻軸３０の軸棒３２に駆動されて回転し、管線が外向きに引き出されて巻軸３０が回転する時、渦形バネ４０が引き絞られてその蓄積するトルクが巻軸３０を回転させて管線を巻き取るのに供される。以上は周知の構造に属するため簡単に述べるに留めた。
【００１０】
本考案によると、二つのベース板５０がケース２１の内側に設置され、その間に管線を巻き取る巻軸３０が枢設される。
【００１１】
噛合伝動機構６０は複数の軸棒３２によりベース板５０の外側と支持板７０の間に設置され、巻軸３０と同期に回転する。そのうち、該噛合伝動機構６０は第１歯車６１を具え、該第１歯車６１は巻軸３０の軸棒３２に固定されてそれに伴い回転し、且つ同軸で且つ半径の大きい第１大歯車６１’が一体に設置されて、該第１大歯車６１’が渦形バネ４０に接合されて回転する第２歯車６２と噛み合い、第１歯車６１はさらに同じ半径の伝動歯車６３と噛み合い、伝動歯車６３は別に第１慣性輪６４と第２慣性輪６５に噛み合い、さらに高倍数増速のフライホイール歯車セット６６及び管線を作動させる配線歯車６７と相互に噛み合う。
【００１２】
次に、上述の支持板７０は複数の連接棒によりベース板５０と対応するケース２１の間に組み付けられ、且つ支持板７０の渦形バネ４０に対応する部分に中央に軸管４１を具えたバネ収容溝７１が凹設され、軸管４１に一端が結合され別端がバネ収容溝７１の溝壁縁に嵌入された渦形バネ４０が該バネ収容溝７１に収容される。
【００１３】
さらに、上述の高倍数増速のフライホイール歯車セット６６はさらに小半径の第３歯車６６１と第１歯車６１の半径と同じで且つ第３歯車と同軸の第４歯車６６２、及び二つの歯車間に位置する単方向係止片６６３を具えている。そのうち、図６、７に示されるように、第４歯車６６２には等角に係止孔６６２１が分布して単方向係止片６６３がある所定方向に回転する時、その周囲の突出するラチェット爪６６３１が第４歯車６６２の係止孔６６２１と係合して連動し、別方向に回転する時、空転を発生する。また、第３歯車６６１と第１慣性輪６４は相互に噛み合い、その歯数比は約１：５とされ、第４歯車６６２は支持板７０外側に軸設され且つ第１歯車と同半径のフライホイール６６４と同軸で連動する。これにより第１歯車６１が渦形バネ４０の回復トルク作用を受けて一周回転する時、噛合伝動機構６０を介して駆動されたフライホイール６６４が５周回転し、該フライホイール６６４が高速回転を発生し、増速のフライホイール歯車セット６６の多段式噛合伝動と高速回転に、第４歯車６６２とフライホイール６６４自身の大きな伝動慣性量が加わり、大きな抵抗力を発生し、第１歯車６１が間接的に渦形バネ４０の回復トルク作用を受けて発生する回転速度を緩める。また、該第３歯車６６１と第４歯車６６２間に単方向係止片６６３が組み合わされたことにより、巻軸３０が管線引き出し方向に回転する時、すなわち、第１歯車６１が渦形バネ４０を引き絞る方向に回転する時、第３歯車６６１に駆動される単方向係止片６６３が、第４歯車６６２と空転を発生し、ゆえに第４歯車６６２とフライホイール６６４を回転させず、管線引き出しが楽に行なえる。
【００１４】
また、本考案の配線歯車６７はベース板５０の所定の部分に固定され、且つ第１歯車６１と同じ半径を具え、二つのベース板５０間に配置された配管器８０を同軸駆動し、第１歯車６１と第１、２慣性輪６４、６５及び伝動、配線歯車６３、６７がいずれも同じ半径の歯車とされ、ゆえに、巻軸３０が第１歯車６１を駆動し回転させる時、その配管器８０が管線を巻軸３０上で均一に配列させて巻き付ける。
【００１５】
また、図８、９に示されるように、本考案の実施例中のベース板５０の所定の位置には回転阻止手段２３が設けられ、それはケース２１外部に露出するハンドル部分を具え、その内部に第４歯車６６２の歯溝中に挿入位置決めされうる係止部２４が設けられて、第４歯車６６２の回転を制限する。これにより、巻軸３０が渦形バネ４０の作用を受ける時、第４歯車６６２が回転阻止手段２３の係止部２４に固定されて回転不能であるため、管線ａが引き出される時に不注意から巻取りが発生することがない。また、管線ａを巻き取りたい時は、回転阻止手段２３の係止部２４を第４歯車６６２より離脱させてその単方向係止片６６３と第３歯車６６１に駆動されて回転するラチェット爪６６３１を第４歯車６６２の係止孔６６２１に係止させることにより、第４歯車６６２が該フライホイール６６４を駆動して回転させ、管線ａが順調に巻き取られる。
【００１６】
以上は本考案の各部品の構造、位置及び相互の接続関係の概要である。本考案の動作と予期される効果は以下のとおりである。
【００１７】
図８に示されるように、本考案の管線巻取り器は正常な使用状態にある時、該回転阻止手段２３の係止部２４は第４歯車６６２の歯溝間に位置決めされ、第４歯車６６２を制限して回転不能としている。管線ａを使用したいとき、管線ａを出管口２２より外向きに引き出す。この時、巻軸３０は管線ａに駆動されて回転し、並びに第１歯車６１を７有働して第１大歯車６１’の回転により第２歯車６２を回転させ、第２歯車６２と同軸の渦形バネ４０を回転させ、該渦形バネ４０が管線ａの引き出しにより引き絞られる。そのトルクの発生するエネルギーは渦形バネ４０に蓄積される。第１歯車６１は伝動歯車６３、第１慣性輪６４を介して第３歯車６６１を駆動するが、第３歯車６６１は渦形バネ４０の引き絞られる方向に回転する時、単方向係止片６６３を介して第４歯車６６２を駆動せず、僅かに空転を発生する。ゆえに管線ａが引き出される過程で、増速のフライホイール歯車セット６６を駆動せず、管線ａの引き出しを楽に行なうことができる。このとき、管線ａが不注意から弛む時、第３歯車６６１の回転方向が単方向係止片６６３を介して第４歯車６６２を駆動しうるが、ただし該回転阻止手段２３の係止部２４が第４歯車６３２の歯溝中に係止されるため、第４歯車６６２が固定されて回転せず、管線ａが巻き取られることがなく、管線ａの引き出し過程での安全性が確保される。
【００１８】
次に、管線ａの使用を完了し管線を巻き取りたい時は（図９）、直接本体２０外部の回転阻止手段２３を回し、その係止部２４を第４歯車６６２より離脱させる。このとき、該係止部２４と相互に噛み合っていた第４歯車６６２は係止を失い、渦形バネ４０の回復力の釈放を制限する抵抗力を瞬間的が消失し、これにより渦形バネ４０が内部に蓄積した強大なエネルギーが瞬間的に釈放され、並びに第２歯車６２と噛み合う第１大歯車６１’及び第１歯車６１に駆動される巻軸３０が軸方向の逆回転を発生し、伝動歯車６３より第２慣性輪６５、配線歯車６７を介して、管線ａが配管器８０を介して順序よく巻軸３０に巻き取られる。特に、第１歯車６１が増速のフライホイール歯車セット６６に噛み合い、第１歯車６１に対して適当な抵抗力を発生し、渦形バネ４０が瞬間的に釈放する強大なエネルギーを吸収するため、巻軸３０の管線ａ巻取りの速度が速く成りすぎることがなく、管線末端の物品が人を傷つける状況を防止できる。
【００１９】
さらに、本考案の支持板７０外側には位置決め機構９０が設けられ、該位置決め機構９０は伝動歯車６３と同軸回転する位置決め輪９１を具え、該位置決め輪９１の外周に複数の位置決め歯９１１が設けられ、支持板７０の位置決め歯９１１に対応する周囲に単方向係止手段９２が設けられ、並びにバネ９３による引っ張りを受けて回転し、これにより、管線ａが引き出されて巻軸３０が回転し（回転阻止手段２３の係止部２４が第４歯車６３２と離脱状態にある）、該位置決め輪９１の位置決め歯９１１が回転して該係止手段９２に至る時、該位置決め歯９１１が係止手段９２を回転させ、巻軸３０を単方向のみに回転させ、位置決め歯９１１と係止手段９２が接合されて、管線ａが引っ張り力を失う時、その位置決め輪９１と伝動歯車６３は逆方向に回転し、強制的に係止手段９２を位置決め歯９１１の間に係止して巻軸３０の回転を停止させ、これにより管線ａが一定距離に引き出された時の位置決めを行なう。もとの状態では回転阻止手段２３と第４歯車６２２は相互に係止され、施力により管線ａが引き出される時、巻軸３０が伝動歯車６３を駆動し位置決め輪９１を回転させ、位置決め機構９１の位置決め輪９１の位置決め歯９１１もまた係止手段９２を押さえる機能を具備し、係止手段９２を位置決め歯９１１と係止不能とし、巻軸３０を単方向に回転させる。管線ａを巻き取りたい時は、まず伝動歯車６３が位置決め輪９１を回転させて係止手段９２と相互に離脱した状態となし、さらに回転阻止手段２３が反対方向に回されて係止解除されることで、引き絞られた渦形バネ４０の釈放するエネルギーが巻軸３０にかかり、巻軸３０を逆方向に回転させ、係止手段９２が位置決め輪９１の周囲に沿ってスライドし、位置決め歯９１１間に落ちて巻軸３０の回転に影響を与えることがなく、ゆえに管線ａが自動的に巻き取られる。
【００２０】
また、本考案の管線巻取り器は多種の実施例に応用可能で、水或いはガス管線ａの巻取りの実施例では、管線コネクタ３１の延伸管３１１末端に水或いはガスのクイックコネクタ３３が接続され、ケース２１外側の延伸管３１１に近い部分に複数の巻取り位置決め片２５が設けられている（図１０参照）。これら巻取り位置決め片２５と本体２０の外壁面間に収容空間が形成され、巻き取った管線の収容に供される。本考案の管線が電源線ｃとされる時、延伸管３１１末端のケース２１に近い部分に、差し込み用の電源プラグｃ’が固定され、別端は管線コネクタ３１に沿って延伸され巻軸３０に巻き取られる（図１０）。また本考案の管線がロープｄとされる時、ロープｄは棒体３４でケース２１内側の延伸管３１１末端部分に固定され、別端は管線コネクタ３１を通り延伸されて巻軸３０に巻き取られ、一般の物品とされるか人が安全に掛吊使用できるものとされる（図１２）。ゆえに本考案の管線巻取り器は各種の異なる形態の管線の引き出しと巻取りに供され、良好な実用効果を具えている。
【００２１】
また図４に示される実施例中の本体２０の出管口２１と反対の端部に、壁面に固定するための連結シート２６が設けられ、管線巻取り器を適当な壁面に固定するのに供され、且つ該連結シート２６の一側に吊掛溝２６１が設けられて、管線末端物品の吊掛固定に供される。
【図面の簡単な説明】
【００２２】
【図１】周知の管線巻取り器の管線引き出し断面図である。
【図２】周知の管線巻取り器の管線巻取りの断面図である。
【図３】本考案の管線巻取り器の斜視図である。
【図４】本考案の管線巻取り器のもう一つの斜視図である。
【図５】本考案の分解斜視図である。
【図６】本考案の単方向係止片と第４歯車の空転状態表示図である。
【図７】本考案の単方向係止片と第４歯車の連動状態表示図である。
【図８】本考案の管線の引き出し状態平面図である。
【図９】本考案の管線の巻取り状態平面図である。
【図１０】本考案の位置決め機構と流体管線に実施した時の局部縦断面図である。
【図１１】本考案の電源線に実施した時の局部縦断面図である。
【図１２】本考案のロープに実施した時の局部縦断面図である。
【符号の説明】
【００２３】
ａ  管線                    ａ’  シャワーヘッド
１０  管線巻取り器            １１  本体
１１１  中空収容溝            １２  固定軸
１３  渦形バネ                １４  回転体
１５  配線機構                １６  出管口
１７  位置決め手段            １７１  位置決め溝
１７２  ストッパ縁            １８    単方向係止手段
１８１  バネ                  １９  係止手段
２０  本体                    ２１  ケース
２２  出管口                  ２３  回転阻止手段
２４  係止部                  ２５  巻取り位置決め片
２６  連結シート              ２６１  吊掛溝
３０  回転軸
３１  管線コネクタ          ３１１  延伸管
３２  軸棒                    ３３  コネクタ
３４  棒体
４０  渦形バネ                ４１  軸管
５０  ベース板                ６０  噛合伝動機構
６１  第１歯車                ６１’  第１大歯車
６２  第２歯車                ６３  伝動歯車
６４  第１慣性輪              ６５  第２慣性輪
６６  フライホイール歯車セット  ６６１  第３歯車
６６２  第４歯車                ６６２１  係止孔
６６３  単方向係止片            ６６３１  ラチェット爪
６６４  フライホイール          ６７  配線歯車
７０  支持板                    ７１  バネ収容溝
８０  配管器                    ９０  位置決め機構
９１  位置決め輪                ９１１  位置決め溝
９２  係止手段                  ９３  バネ
ｂ  管線                      ｃ  電源線
ｃ’  電源プラグ                ｄ  ロープ
【図１】
0003102893.tif 000003
【図２】
0003102893.tif 000004
【図３】
0003102893.tif 000005
【図４】
0003102893.tif 000006
【図５】
0003102893.tif 000007
【図６】
0003102893.tif 000008
【図７】
0003102893.tif 000009
【図８】
0003102893.tif 000010
【図９】
0003102893.tif 000011
【図１０】
0003102893.tif 000012
【図１１】
0003102893.tif 000013
【図１２】
0003102893.tif 000014